(57)【要約】【課題】簡単な手法で、不適切な箇所からの光漏れを抑制することができる意匠パネルの製造方法を提供する。【解決手段】本発明の意匠パネルの製造方法は、合成樹脂からなる板状のパネル本体１１を有し、パネル本体１１が、光透過性を有し背面側ＢＳから照明用の光が照射される光透過部１１ｂと、光透過部１１ｂ内を通過する光の拡散を防ぐ遮蔽部１１ａとを含む意匠パネルを製造する方法であって、パネル本体１１を構成するための光透過性を有する合成樹脂材の特定の部位にレーザー光Ｌを照射して、この部位にある前記合成樹脂を部分的に変色させることによって遮蔽部１１ａを形成する工程を含む。【選択図】図１
2011025578.tif 000002
【特許請求の範囲】
【請求項１】
合成樹脂からなる板状のパネル本体を有し、該パネル本体が、光透過性を有し背面側から照明用の光が照射される光透過部と、該光透過部内を通過する光の拡散を防ぐ遮蔽部とを含む意匠パネルを製造する方法であって、
前記パネル本体を構成するための光透過性を有する合成樹脂材の特定の部位にレーザー光を照射して、この部位にある前記合成樹脂を部分的に変色させることによって前記遮蔽部を形成する工程を含む意匠パネルの製造方法。
【請求項２】
合成樹脂からなる板状のパネル本体を有し、該パネル本体が、光透過性を有し背面側から照明用の光が照射される光透過部と、該光透過部の周囲に設けられ前記合成樹脂内への前記照明用の光の入射を抑制する入射抑制部とを含む意匠パネルを製造する方法であって、
前記パネル本体の特定部位の背面にレーザー光を照射して、その背面に凹凸を形成することによって前記入射抑制部を得る工程を含む意匠パネルの製造方法。
【請求項３】
前記合成樹脂として白濁色のものを用いる請求項１または２記載の意匠パネルの製造方法。
【請求項４】
合成樹脂からなる板状のパネル本体を有し、該パネル本体が、光透過性を有し背面側から照明用の光が照射される光透過部と、該光透過部内を通過する光の拡散を防ぐ遮蔽部とを含む意匠パネルであって、
前記遮蔽部が、前記パネル本体を構成するための光透過性を有する合成樹脂材の特定の部位にレーザー光を照射して、この部位にある前記合成樹脂を部分的に変色させることによって形成される意匠パネル。
【請求項５】
合成樹脂からなる板状のパネル本体を有し、該パネル本体が、光透過性を有し背面側から照明用の光が照射される光透過部と、該光透過部の周囲に設けられ前記合成樹脂内への前記照明用の光の入射を抑制する入射抑制部とを含む意匠パネルであって、
前記入射抑制部が、前記パネル本体の特定部位の背面にレーザー光を照射して、その背面に凹凸を形成することによって得られる意匠パネル。
【発明の詳細な説明】
【技術分野】
【０００１】
本発明は、合成樹脂からなる板状のパネル本体を有し、該パネル本体が、光透過性を有し背面側から照明用の光が照射される光透過部を部分的に含む意匠パネルの製造方法および該製造方法により得られた意匠パネルに関する。
【背景技術】
【０００２】
従来、自動車などのオーディオパネルとして用いられ、文字や図形などの情報を表示する意匠パネルが知られている。この種の意匠パネルは、文字や図形などの模様が施された合成樹脂からなる板状のパネル本体を含む。そして、パネル本体の背面側に設けられた光源の光がパネル本体の前面側に一部透過することで、前記模様が表示される。
【０００３】
たとえば、意匠パネルの製造方法としては、図５に示されるような、透明な合成樹脂を所定の形状に成形し、その前面側表面にまず白色印刷を施し、さらに、前面側全体を覆うように黒色塗料を塗布した後、黒色塗料の層を部分的に切り抜き加工して模様を形成する方法がある（特許文献１参照）。
【０００４】
しかしながら、図５のように、透明な合成樹脂をパネル本体の材質として用いると、模様が施された箇所のほかに、側方からも光漏れが生じてしまうという問題があった。
【０００５】
このような側方からの光漏れに対応するため、図６に示されるような、パネル本体を、透明な合成樹脂部分１１と不透明な合成樹脂部分１１’との複合的な構造に成形する手法があるが、この場合には、パネル本体の成形手法が複雑になってしまう。
【０００６】
また、側方からの光漏れを防ぐために、図７（ａ）および図７（ｂ）に示されるような、パネル本体１１’を不透明な合成樹脂で成形し、文字や図形などの模様が施された三層構造のフィルム２（第１層２１は白色印刷層、第２層２２は黒色印刷層、第３層２３は透明層）をパネル本体の表面に設ける方法もある（特許文献２参照）。しかしながら、この場合、フィルムの位置決めを正確に行う必要があり、フィルムインサート成形といった特殊な成形手法が必要になったり、パネル本体の成形後にフィルムを貼り付ける場合には、フィルムの貼り付け作業が難航する傾向がある。
【先行技術文献】
【特許文献】
【０００７】
【特許文献１】特開平９−１３２０５８号公報
【特許文献２】特開平１１−９５６９６号公報
【発明の概要】
【発明が解決しようとする課題】
【０００８】
本発明は、上記従来の問題に鑑みてなされたものであり、簡単な手法で、不適切な箇所からの光漏れを抑制することができる意匠パネルの製造方法および該製造方法を用いて得られる意匠パネルを提供することを目的としている。
【課題を解決するための手段】
【０００９】
本発明の第１の意匠パネルの製造方法は、合成樹脂からなる板状のパネル本体を有し、該パネル本体が、光透過性を有し背面側から照明用の光が照射される光透過部と、該光透過部内を通過する光の拡散を防ぐ遮蔽部とを含む意匠パネルを製造する方法であって、前記パネル本体を構成するための光透過性を有する合成樹脂材の特定の部位にレーザー光を照射して、この部位にある前記合成樹脂を部分的に変色させることによって前記遮蔽部を形成する工程を含む。
【００１０】
この発明によれば、レーザー光を照射して合成樹脂を部分的に変色させ、遮蔽部を形成する工程が含まれ、この光透過部とは異なる色の遮蔽部によって、光がパネル本体内部を伝って拡散するのが遮られる。つまり、遮蔽部は、別途部品等を追加する必要もなく、また、パネル本体を複合的な構造にするような成形工程も必要なく、簡単な手法で形成される。したがって、簡単な手法で、不適切な箇所からの光漏れを抑制することができる。
【００１１】
本発明の第２の意匠パネルの製造方法は、合成樹脂からなる板状のパネル本体を有し、該パネル本体が、光透過性を有し背面側から照明用の光が照射される光透過部と、該光透過部の周囲に設けられ前記合成樹脂内への前記照明用の光の入射を抑制する入射抑制部とを含む意匠パネルを製造する方法であって、前記パネル本体の特定部位の背面にレーザー光を照射して、その背面に凹凸を形成することによって前記入射抑制部を得る工程を含む。
【００１２】
この発明によれば、レーザー光を照射してパネル本体の背面の特定部位に凹凸を形成し、入射抑制部を得る工程が含まれ、この表面凹凸状の入射抑制部によって、光が乱反射され、パネル本体を構成する合成樹脂内に照明用の光が入射するのが抑制される。つまり、入射抑制部は、別途部品等を追加する必要もなく、また、パネル本体を複合的な構造にするような成形工程も必要なく、簡単な手法で形成される。したがって、簡単な手法で、不適切な箇所からの光漏れを抑制することができる。
【００１３】
また、前記合成樹脂として白濁色のものを用いることが好ましい。
【００１４】
この発明によれば、合成樹脂の色が白濁色であることにより、合成樹脂の色が透明色である場合よりも、レーザー光を照射したときに効率よく変質させやすい。
【００１５】
本発明の第１の意匠パネルは、合成樹脂からなる板状のパネル本体を有し、該パネル本体が、光透過性を有し背面側から照明用の光が照射される光透過部と、該光透過部内を通過する光の拡散を防ぐ遮蔽部とを含む意匠パネルであって、前記遮蔽部が、前記パネル本体を構成するための光透過性を有する合成樹脂材の特定の部位にレーザー光を照射して、この部位にある前記合成樹脂を部分的に変色させることによって形成される。
【００１６】
本発明の第２の意匠パネルは、合成樹脂からなる板状のパネル本体を有し、該パネル本体が、光透過性を有し背面側から照明用の光が照射される光透過部と、該光透過部の周囲に設けられ前記合成樹脂内への前記照明用の光の入射を抑制する入射抑制部とを含む意匠パネルであって、前記入射抑制部が、前記パネル本体の特定部位の背面にレーザー光を照射して、その背面に凹凸を形成することによって得られる。
【発明の効果】
【００１７】
本発明によれば、簡単な手法で、不適切な箇所からの光漏れを抑制することができる。
【図面の簡単な説明】
【００１８】
【図１】実施の形態１の意匠パネルの断面構造を説明するための図である。
【図２】図１のＡ部拡大図であり、遮蔽部によって光の進行が遮られる様子を説明するための図である。
【図３】意匠パネルの正面図であり、（ａ）は意匠パネル正面側の全体を示し、（ｂ）は（ａ）のＣ部拡大図を示す。
【図４】実施の形態２の意匠パネルの断面構造を説明するための図である。
【図５】従来の意匠パネルの断面構造を説明するための図であり、パネル本体が透明樹脂により形成された意匠パネルであって、パネル本体の側方へ光漏れが生じることを説明している。
【図６】従来の意匠パネルの断面構造を説明するための図であり、パネル本体を透明樹脂と不透明樹脂との複合的な構造にした形態を示す。
【図７】従来の意匠パネルの断面構造を説明するための図であり、（ａ）は意匠パネル全体の断面構造を示し、（ｂ）は（ａ）のＢ位置拡大図であり、フィルムの断面構造を示す。
【発明を実施するための形態】
【００１９】
以下で、本実施の形態の意匠パネルの製造方法および意匠パネルについて、図面を用いて詳細に説明する。
【００２０】
（実施の形態１）
図１は、実施の形態１の意匠パネルの断面構造を説明するための図である。図２は、図１のＡ部拡大図であり、遮蔽部１１ａによって光の進行が遮られる様子を説明するための図である。図３は、意匠パネルの正面図であり、（ａ）は意匠パネル正面側の全体を示し、（ｂ）は（ａ）のＣ部拡大図を示す。
【００２１】
実施の形態１の意匠パネル１は、図１および図２に示されるように、板状のパネル本体１１と、パネル本体１１の背面に背面側ＢＳへ突出するように設けられた直立部１２と、パネル本体１１の前面の所定の位置に印刷される白色印刷部１４と、パネル本体１１の前面全体を覆うように塗布される黒色の黒色塗料部１３とを含む。
【００２２】
パネル本体１１および直立部１２は、同じ材質で、一体に成形されている。パネル本体１１および直立部１２は、乳白色（白濁色）の光透過性を有する合成樹脂からなり、たとえば、ポリカーボネート（ＰＣ）、ポリメタクリル酸メチル樹脂（ＰＭＭＡ）、アクリルニトリルブタジエンスチレン（ＡＢＳ）などを用いることができる。
【００２３】
パネル本体１１は、光透過性を有し背面側ＢＳから照明用の光が照射される光透過部１１ｂと、光透過部１１ｂ内を通過する光の拡散を防ぐ遮蔽部１１ａとを含む。本実施の形態において、光透過部１１ｂとは、背面側ＢＳからパネル本体１１内部へ入射した光がパネル本体１１の面方向に沿って進行可能な部分、すなわち、遮蔽部１１ａを除く部分を意味している。
【００２４】
また、パネル本体１１には、板厚とほぼ同じ厚さの遮蔽部１１ａが形成されている。本実施の形態では、遮蔽部１１ａは、直立部１２に沿うように、つまり、直立部１２を挟むように形成されている（図３（ｂ）参照）。遮蔽部１１ａは、図２に示されるように、パネル本体１１の背面側ＢＳから所定のレーザー光Ｌの照射を受けて、合成樹脂が一部変質した部分である。具体的には、変質前の乳白色から茶色に変色、あるいは、変質前の乳白色から灰色に変色した部分である。この遮蔽部１１ａによって、パネル本体１１内部を面方向に進行する光が遮られる。
【００２５】
また、白色印刷部１４および黒色塗料部１３は、パネル本体１１の背面側ＢＳから前面側ＦＳへ向けた光の透過を調整する役割を果たす。具体的には、黒色塗料部１３は、意匠パネル１の背面側ＢＳから前面側ＦＳへ透過する光を遮る。また、白色印刷部１４は、黒を除く色の塗料が印刷された部分であり、光が白色印刷部１４を透過することで、白色印刷部１４の色に応じた表示が可能になる。すなわち、意匠パネル１の表面には、白色印刷部１４の表面を覆う黒色塗料部１３が部分的に剥がし取られた箇所を透過する透過光を利用して、各種情報や模様などが表示される。具体的には、白色印刷部１４上の黒色塗料部１３は、所定の形状に切り抜かれている。この黒色塗料部１３の切り抜き形状によって、意匠パネルの表面に表示させる文字や図形などの模様（以下、表示文字列という）ｄｉｓが形作られる（図３（ａ）、図３（ｂ）参照）。
【００２６】
先に述べた直立部１２は、この表示文字列ｄｉｓを囲むように形成されている（図３（ｂ）参照）。つまり、遮蔽部１１ａは、表示文字列ｄｉｓの周囲を囲むように形成されていることになる。
【００２７】
このほか、意匠パネル１の背面側には、直立部１２の先端にプリント基板１６が固定されており、この基板１６のパネル本体１１に対向する面には、ＬＥＤ（光源）１５が設置されている。図１に示されるように、ＬＥＤ１５は、表示文字列ｄｉｓに対向する位置に設けられ、ＬＥＤ１５の光が照射されると、光は、白色印刷部１４が形成された箇所であって、黒色塗料部１３が切り抜かれた箇所を透過する。これにより、表示文字列ｄｉｓが視認し易く意匠パネル１の前面側に表示される。
【００２８】
この意匠パネル１の製造方法について、具体的に説明する。
【００２９】
まず、パネル本体１１および直立部１２が、一括で、射出成形などにより成形される。
【００３０】
つぎに、白色の印刷をパネル本体１１の前面の所定の位置に対して施し、白色印刷部１４を形成する。
【００３１】
つぎに、黒色塗料をパネル本体１１の前面全体を覆うように塗布して、黒色塗料部１３を形成する。
【００３２】
つぎに、白色印刷部１４が形成された部分を覆う黒色塗料部１３を、レーザーカットなどにより、表示させたい文字列や模様に対応する形状に切り抜く。こうして、パネル本体１１の前面に、表示文字列ｄｉｓが形成される。
【００３３】
つぎに、遮蔽部１１ａを形成する。
【００３４】
遮蔽部１１ａは、パネル本体１１に対して、所定の位置にレーザー光Ｌを照射して、形成される（図２参照）。
【００３５】
具体的には、φ１ｍｍ程度のレーザービーム径、パネル本体１１の材料が溶けない程度の強度のレーザー光Ｌを、パネル本体１１の背面側ＢＳから比較的長い時間（たとえば、パネル本体１１の板厚が２．５ｍｍ程度である場合には、２〜３秒程度）にわたって面的に照射する。このとき、レーザー光Ｌの照射時間が長ければ長い程、遮蔽部１１ａの生成が促され、パネル本体１１の合成樹脂の変色（乳白色から茶色に変色、もしくは、乳白色から灰色に変色）が顕著に現われて、ＬＥＤ１５からの光の遮蔽効果が高まる。また、用いられる合成樹脂の色が乳白色であることにより、合成樹脂の色が透明色である場合よりも、レーザー光を照射したときに効率よく変色させやすい。
【００３６】
こうして、意匠パネル１が完成する。
【００３７】
以上の実施の形態によれば、レーザー光Ｌを照射して合成樹脂を部分的に変色させ、遮蔽部１１ａを形成する工程が含まれ、この光透過部１１ｂとは異なる色の遮蔽部１１ａによって、ＬＥＤ１５から照射された光がパネル本体１１内部を伝って拡散するのが遮られる。つまり、遮蔽部１１ａは、別途部品等を追加する必要もなく、また、パネル本体１１を複合的な構造にするような成形工程も必要なく、簡単な手法で形成される。したがって、簡単な手法で、不適切な箇所からの光漏れを抑制することができる。
【００３８】
（実施の形態２）
図４は、実施の形態２の意匠パネル１の断面構造を説明するための図である。
【００３９】
実施の形態１の意匠パネル１は、遮蔽部１１ａが、レーザー光を照射して、合成樹脂を部分的に変色させることによって得られる形態であるのに対し、実施の形態２の意匠パネル１は、入射抑制部１１ａ’が、図３に示されるように、レーザー光を照射して、パネル本体１１の背面側ＢＳの表面に部分的に凹凸を形成することによって得られる形態である。本実施の形態の入射抑制部１１ａ’は、光透過部１１ｂの周囲に設けられ合成樹脂内への照明用の光の入射を抑制する。
【００４０】
意匠パネル１の入射抑制部１１ａ’を除く部分の構造、および、製造方法については、実施の形態１の遮蔽部１１ａを除く部分の構造、および、製造方法と同様であるので、ここでの重複する説明を省略する。
【００４１】
実施の形態２の入射抑制部１１ａ’は、つぎのように形成される。
【００４２】
具体的には、φ０．０１〜φ０．０５ｍｍ程度のレーザービーム径、合成樹脂が溶けて焼ける程度の強度のレーザー光Ｌを、パネル本体１１の背面側ＢＳから、パネル本体１１の背面側ＢＳの表面に対して比較的短い時間（たとえば、パネル本体１１の板厚が２．５ｍｍ程度である場合には、３〜５秒程度）にわたって線的に照射する。これによって、レーザー光Ｌの照射箇所が溶けて表面に凹凸が形成され、入射抑制部１１ａ’が形成される。
【００４３】
パネル本体１１に、このような表面が凸凹状の入射抑制部１１ａ’が形成されていると、ＬＥＤ１５から照射された光は、入射抑制部１１ａ’の凹凸面で乱反射し、パネル本体１１内部へ入射する光の量が抑制される。これによって、表示文字列ｄｉｓから離れる方向へ入射抑制部１１ａ’を超えて進行する光の量が大幅に減少する。
【００４４】
以上の実施の形態によれば、レーザー光Ｌを照射してパネル本体１１の背面側ＢＳの表面に凹凸を形成し、入射抑制部１１ａ’を得る工程が含まれ、この表面凹凸状の入射抑制部１１ａ’によって、ＬＥＤ１５から照射され、パネル本体１１内部へ入射する照明用の光の量が抑制される。つまり、入射抑制部１１ａ’は、別途部品等を追加する必要もなく、また、パネル本体１１を複合的な構造にするような成形工程も必要なく、簡単な手法で形成される。したがって、簡単な手法で、不適切な箇所からの光漏れを抑制することができる。
【００４５】
なお、上記実施の形態では、パネル本体１１の材質がレーザー光の照射前の段階で白濁色の合成樹脂である形態について説明したが、本発明はこれに限定されるものではなく、パネル本体１１の材質はレーザー光の照射前の段階で透明な合成樹脂である形態であってもよい。パネル本体１１の材質としては、レーザー光の照射を受けて変質する合成樹脂であればよい。
【００４６】
また、上記実施の形態では、遮蔽部１１ａ、入射抑制部１１ａ’が直立部１２を挟むようにパネル本体１１に対して形成される形態について説明したが、本発明はこれに限定されるものではなく、遮蔽部１１ａ、入射抑制部１１ａ’は表示文字列ｄｉｓの周囲を囲むように形成されていればよい。
【００４７】
また、上記実施の形態では、意匠パネル１の製造方法において、白色印刷を施し、黒色塗料を塗布して表示文字列ｄｉｓを形成した後、遮蔽部１１ａ、入射抑制部１１ａ’を形成した形態について説明したが、本発明はこれに限定されるものではなく、遮蔽部１１ａ、入射抑制部１１ａ’を形成した後、白色印刷を施し、黒色塗料を塗布して表示文字列ｄｉｓを形成する形態であってもよい。
【符号の説明】
【００４８】
１  意匠パネル
１１  パネル本体
１１ｂ  光透過部
１１ａ  遮蔽部
１１ａ’  入射抑制部
【図１】
2011025578.tif 000003
【図２】
2011025578.tif 000004
【図３】
2011025578.tif 000005
【図４】
2011025578.tif 000006
【図５】
2011025578.tif 000007
【図６】
2011025578.tif 000008
【図７】
2011025578.tif 000009